(57)【要約】【課題】無線ＬＡＮモジュールを電子機器本体に取り付けた場合に、電子機器本体に対するユーザの操作性が損われてしまうのを抑制することが可能な電子機器を提供する。【解決手段】このＤＶＤプレーヤ１００は、ローカルエリアネットワークによる通信が可能な装置本体２０に対して、ローカルエリアネットワークによる信号を受信するアンテナ部５５を有する無線ＬＡＮモジュール６０が取り付けられるように構成されている。そして、無線ＬＡＮモジュール６０は、装置本体２０の操作内容に対応して設けられた操作ボタン部５６と、ユーザ４００による操作ボタン部５６の操作内容に対応したリモコン信号を装置本体２０に伝達する制御回路部５０（制御部５２、ＬＥＤ駆動用ＡＭＰ部５８および赤外線ＬＥＤ５７）とをさらに含む。【選択図】図２
2010273228.tif 000002
【特許請求の範囲】
【請求項１】
ローカルエリアネットワークによる通信が可能な電子機器本体と、
前記電子機器本体に取り付けられ、前記ローカルエリアネットワークによる信号を受信するアンテナ部を含む無線ＬＡＮモジュールとを備え、
前記無線ＬＡＮモジュールは、
前記電子機器本体の操作内容に対応して設けられた第１操作部と、
ユーザによる前記第１操作部の操作内容に対応した信号を前記電子機器本体に伝達する信号伝達部とをさらに含む、電子機器。
【請求項２】
前記信号伝達部は、前記ユーザによる前記第１操作部の操作内容に対応した前記信号を発生するための制御部と、前記制御部が発生した前記信号を光信号の状態で前記電子機器本体に伝達するための光信号発生部とを有する、請求項１に記載の電子機器。
【請求項３】
前記電子機器本体は、周囲が金属からなる筐体によって囲われるように構成されており、
前記無線ＬＡＮモジュールが前記金属からなる筐体の外側に配置された状態で、前記電子機器本体に取り付けられるように構成されている、請求項１または２に記載の電子機器。
【請求項４】
前記電子機器本体は、前記電子機器本体の前面側に設けられ、ユーザが前記電子機器本体を操作するための第２操作部を含み、
前記無線ＬＡＮモジュールは、前記電子機器本体の前面側に配置されることにより、前記第２操作部を覆い隠した状態で前記電子機器本体に取り付けられるように構成されている、請求項１〜３のいずれか１項に記載の電子機器。
【請求項５】
前記電子機器本体は、前記電子機器本体に対するディスク型記録媒体の挿入および取り出しが可能なディスクローダ部と前記電子機器本体の状態を表示する表示部とが、前記電子機器本体の前面側に設けられたディスク再生装置を含み、
前記無線ＬＡＮモジュールは、前記ディスク再生装置の前面のうちの、前記ディスクローダ部および前記表示部が設けられた領域以外の領域に配置されるように構成されている、請求項１〜４のいずれか１項に記載の電子機器。
【請求項６】
前記電子機器本体は、赤外線からなる光信号を受光する受光部をさらに含み、
前記無線ＬＡＮモジュールは、前記光信号発生部が赤外線からなる光信号を出射するように構成されており、
前記信号伝達部は、前記制御部により、前記ユーザによる前記第１操作部の操作内容に対応する前記赤外線からなる光信号を発生させるように前記光信号発生部を制御するように構成されている、請求項２に記載の電子機器。
【請求項７】
前記無線ＬＡＮモジュールの前記光信号発生部は、前記電子機器本体の前方に向かって前記赤外線からなる光信号を出射するように構成されている、請求項６に記載の電子機器。
【請求項８】
前記電子機器本体の内部に設置され、前記赤外線からなる光信号を前記電子機器本体の受光部に導く導光部材をさらに備え、
前記無線ＬＡＮモジュールの前記光信号発生部は、前記導光部材に向かって前記赤外線からなる光信号を出射するように構成されている、請求項６に記載の電子機器。
【請求項９】
前記無線ＬＡＮモジュールは、有線による信号伝送路を介して前記電子機器本体に電気的に接続されるように構成されており、
前記無線ＬＡＮモジュールの前記信号伝達部は、前記ユーザによる前記第１操作部の操作内容に対応した前記信号を、前記有線による信号伝送路を経由して前記電子機器本体に伝達するように構成されている、請求項１に記載の電子機器。
【請求項１０】
ローカルエリアネットワークによる通信が可能な電子機器本体に取り付けられ、前記ローカルエリアネットワークによる信号を受信するアンテナ部を含む無線ＬＡＮモジュールを備え、
前記無線ＬＡＮモジュールは、
前記電子機器本体の操作内容に対応して設けられた操作部と、
ユーザによる前記操作部の操作内容に対応した信号を前記電子機器本体に伝達する信号伝達部とをさらに含む、無線ＬＡＮ装置。
【発明の詳細な説明】
【技術分野】
【０００１】
この発明は、電子機器および無線ＬＡＮ装置に関し、特に、ローカルエリアネットワークによる無線通信が可能な電子機器本体を備えた電子機器およびローカルエリアネットワークによる無線通信が可能な電子機器に取り付けられる無線ＬＡＮ装置に関する。
【背景技術】
【０００２】
従来、種々の電子機器が知られている（たとえば、特許文献１〜４参照）とともに、近年では、電子機器にローカルエリアネットワーク（ＬＡＮ）による無線通信機能を付加する技術も提案されている。
【０００３】
上記特許文献１には、ユーザ操作に基づいてビデオゲームのプレーが可能なコンソール装置（電子機器）が開示されている。このコンソール装置には、装置本体の電源ボタンや、装置本体を操作する操作機器（有線リモコン機器）の入出力ポートや、無線リモコン機器からの信号を受信するリモコン信号受光部や、ゲームソフトを出し入れするＤＶＤトレイ部（開閉扉）などが、装置本体のフロントパネル部に集中的に配置されている。
【０００４】
また、上記特許文献２には、ユーザ操作に基づいてカーナビゲーション機能やカーオーディオ機能を提供する車載用電子機器が開示されている。この車載用電子機器には、装置本体の電源ボタンおよび各種操作ボタンや、装置本体内部からスライドしながら出し入れされる表示画面部や、付属する無線リモコン機器からの信号を受信するリモコン信号受光部や、ディスク型記録媒体を出し入れするディスクトレイ部（開閉扉）などが、装置本体のフロントパネル部に集中的に配置されている。
【０００５】
また、上記特許文献３には、ＤＡＴカセットテープの記録および再生が可能な情報記憶装置が開示されている。この情報記憶装置には、装置本体の電源ボタンおよび各種操作ボタンや、ＤＡＴカセットテープを装置本体に装填するための装填部（開閉扉）や、装置本体の動作を表示する動作表示部などが、装置本体のフロントパネル部に集中的に配置されている。
【０００６】
また、上記特許文献４には、カセットテープの記録および再生が可能なテープドライブ装置が開示されている。このテープドライブ装置には、装置本体の電源ボタンおよび各種操作ボタンや、カセットテープの装填口（開閉扉）などが、装置本体のフロントパネル部に集中的に配置されている。
【先行技術文献】
【特許文献】
【０００７】
【特許文献１】特開２００６−１８７５９５号公報
【特許文献２】特開２００２−１０９８６８号公報
【特許文献３】特開２００２−６３７８４号公報
【特許文献４】特開２００２−１０９８６６号公報
【発明の概要】
【発明が解決しようとする課題】
【０００８】
ここで、上記した特許文献１〜４に開示されたような従来の電子機器に、ローカルエリアネットワークが構築された環境下で無線ＬＡＮ通信機能を付加して使用したい場合、電子機器本体に無線ＬＡＮ通信を行うための無線ＬＡＮモジュールを取り付ける必要がある。また、無線ＬＡＮモジュールを取り付ける場合、電磁シールド目的で電子機器本体を囲う金属筐体の外側に無線ＬＡＮモジュール（受信アンテナ部）を取り付けることによって、無線ＬＡＮモジュールが電波を受信しやすいように構成する必要がある。また、筐体の外側に無線ＬＡＮモジュールを取り付ける場合、無線ＬＡＮモジュールは、電波の受信状態を維持するために、電子機器本体の背面、側面および上面などよりも電子機器本体の前面側に配置されるのが好ましい。
【０００９】
しかしながら、上記特許文献１に記載のコンソール装置に無線ＬＡＮモジュールを取り付けてローカルエリアネットワークの環境下で使用したい場合、装置本体のフロントパネル部には、既に、電源ボタンや、操作機器の入出力ポートや、リモコン信号受光部や、ＤＶＤトレイ部（開閉扉）などが集中的に配置されているため、この領域に無線ＬＡＮモジュールを新たに取り付けるスペースは殆ど残されていないと考えられる。また、このフロントパネル部に、無線ＬＡＮモジュールを新たに取り付ける場合、設計上、フロントパネル部を占有する既存の操作ボタン類などのレイアウトを多少なりとも犠牲にして、この空いたスペースに無線ＬＡＮモジュールを取り付けるようなレイアウトに構成し直す必要がある。したがって、無線ＬＡＮモジュールを取り付けるためにフロントパネル部のレイアウトが変更された場合、コンソール装置（装置本体）に対するユーザの操作性が損われてしまう場合があるという問題点がある。
【００１０】
また、上記特許文献２〜４の各々に記載の電子機器においても、電子機器本体のフロントパネル部には、既に、電源ボタンや、各種操作ボタンや、電子機器本体の動作表示部や、メディア（ディスクやカセットテープなど）の装填部（開閉扉）などが集中的に配置されているため、この領域に無線ＬＡＮモジュールを新たに取り付けるスペースは殆ど残されていないと考えられる。また、このフロントパネル部に、無線ＬＡＮモジュールを新たに取り付ける場合、設計上、フロントパネル部を占有する既存の操作ボタン類などのレイアウトを多少なりとも犠牲にして、この空いたスペースに無線ＬＡＮモジュールを取り付けるようなレイアウトに構成し直す必要がある。したがって、無線ＬＡＮモジュールを取り付けるためにフロントパネル部のレイアウトが変更された場合、電子機器本体に対するユーザの操作性が損われてしまう場合があるという問題点がある。
【００１１】
この発明は、上記のような課題を解決するためになされたものであり、この発明の１つの目的は、無線ＬＡＮモジュールを電子機器本体に取り付けた場合に、電子機器本体に対するユーザの操作性が損われてしまうのを抑制することが可能な電子機器および無線ＬＡＮ装置を提供することである。
【課題を解決するための手段および発明の効果】
【００１２】
この発明の第１の局面による電子機器は、ローカルエリアネットワークによる通信が可能な電子機器本体と、電子機器本体に取り付けられ、ローカルエリアネットワークによる信号を受信するアンテナ部を含む無線ＬＡＮモジュールとを備え、無線ＬＡＮモジュールは、電子機器本体の操作内容に対応して設けられた第１操作部と、ユーザによる第１操作部の操作内容に対応した信号を電子機器本体に伝達する信号伝達部とをさらに含む。
【００１３】
この発明の第１の局面による電子機器では、上記のように、ローカルエリアネットワークによる通信が可能な電子機器本体と、電子機器本体に取り付けられた無線ＬＡＮモジュールとを備え、無線ＬＡＮモジュールが、電子機器本体の操作内容に対応して設けられた第１操作部と、ユーザによる第１操作部の操作内容に対応した信号を電子機器本体に伝達する信号伝達部とを含むことによって、ユーザは、無線ＬＡＮモジュールの第１操作部を介して電子機器本体に対する操作（たとえば、電源オン・オフ操作など）を行うことができる。また、この無線ＬＡＮモジュールを電子機器本体の前面部（フロントパネル部）に取り付ける場合であっても、既に前面部に集中的に配置された操作ボタン類や表示部などにより構成された既存のレイアウトに関係なく、ユーザは無線ＬＡＮモジュールの第１操作部を介して電子機器本体を操作することができる。これにより、無線ＬＡＮモジュールを電子機器本体に取り付けた場合に、電子機器本体に対するユーザの操作性が損われてしまうのを抑制することができる。
【００１４】
上記第１の局面による電子機器において、好ましくは、信号伝達部は、ユーザによる第１操作部の操作内容に対応した信号を発生するための制御部と、制御部が発生した信号を光信号の状態で電子機器本体に伝達するための光信号発生部とを有する。このように構成すれば、ユーザによる第１操作部の操作内容に対応した光信号を、電子機器本体に容易に伝達することができる。
【００１５】
上記第１の局面による電子機器において、好ましくは、電子機器本体は、周囲が金属からなる筐体によって囲われるように構成されており、無線ＬＡＮモジュールが金属からなる筐体の外側に配置された状態で、電子機器本体に取り付けられるように構成されている。このように構成すれば、無線ＬＡＮモジュールのアンテナ部が、ローカルエリアネットワークからの信号が含まれた電波を確実に受信することができる。
【００１６】
上記第１の局面による電子機器において、好ましくは、電子機器本体は、電子機器本体の前面側に設けられ、ユーザが電子機器本体を操作するための第２操作部を含み、無線ＬＡＮモジュールは、電子機器本体の前面側に配置されることにより、第２操作部を覆い隠した状態で電子機器本体に取り付けられるように構成されている。このように構成すれば、無線ＬＡＮモジュールが電子機器本体に取り付けられた場合、電子機器本体の第２操作部が無線ＬＡＮモジュールによって覆い隠されている一方、ユーザは、無線ＬＡＮモジュールの第１操作部によって確実に電子機器本体を操作することができる。
【００１７】
上記第１の局面による電子機器において、好ましくは、電子機器本体は、電子機器本体に対するディスク型記録媒体の挿入および取り出しが可能なディスクローダ部と電子機器本体の状態を表示する表示部とが、電子機器本体の前面側に設けられたディスク再生装置を含み、無線ＬＡＮモジュールは、ディスク再生装置の前面のうちの、ディスクローダ部および表示部が設けられた領域以外の領域に配置されるように構成されている。このように構成すれば、ディスク型記録媒体を取り扱うスペースや装置本体の動作状況を確認するスペースなどを確保しながら無線ＬＡＮモジュールをディスク再生装置に取り付けることができるので、ディスク型記録媒体を取り扱うスペースや装置本体の動作状況を確認するスペースなどが確保される分、ディスク再生装置に対するユーザの操作性が損われてしまうのを、より抑制することができる。
【００１８】
上記信号伝達部が制御部と光信号発生部とを有する構成において、好ましくは、電子機器本体は、赤外線からなる光信号を受光する受光部をさらに含み、無線ＬＡＮモジュールは、光信号発生部が赤外線からなる光信号を出射するように構成されており、信号伝達部は、制御部により、ユーザによる第１操作部の操作内容に対応する赤外線からなる光信号を発生させるように光信号発生部を制御するように構成されている。このように構成すれば、無線ＬＡＮモジュールと電子機器本体との間の比較的短い距離における信号伝達を、赤外線信号を用いて容易に行うことができる。
【００１９】
上記光信号発生部が赤外線からなる光信号を出射する構成において、好ましくは、無線ＬＡＮモジュールの光信号発生部は、電子機器本体の前方に向かって赤外線からなる光信号を出射するように構成されている。このように構成すれば、光信号発生部から出射された赤外線信号は、無線ＬＡＮモジュールの第１操作部を操作するユーザにより反射されるので、反射した赤外線信号を電子機器本体の受光部に向けて容易に入射させることができる。
【００２０】
上記光信号発生部が赤外線からなる光信号を出射する構成において、好ましくは、電子機器本体の内部に設置され、赤外線からなる光信号を電子機器本体の受光部に導く導光部材をさらに備え、無線ＬＡＮモジュールの光信号発生部は、導光部材に向かって赤外線からなる光信号を出射するように構成されている。このように構成すれば、光信号発生部から出射された赤外線信号を、導光部材を介して電子機器本体の内部に設けられた受光部に向けて確実に入射させることができる。この結果、無線ＬＡＮモジュールの第１操作部による電子機器本体の操作を、より確実に行うことができる。
【００２１】
上記第１の局面による電子機器において、好ましくは、無線ＬＡＮモジュールは、有線による信号伝送路を介して電子機器本体に電気的に接続されるように構成されており、無線ＬＡＮモジュールの信号伝達部は、ユーザによる第１操作部の操作内容に対応した信号を、有線による信号伝送路を経由して電子機器本体に伝達するように構成されている。このように構成すれば、ユーザによる第１操作部の操作内容に対応した信号を、信号伝送ケーブルを経由した電気信号の状態で電子機器本体に確実に伝達することができる。
【００２２】
この発明の第２の局面による無線ＬＡＮ装置は、ローカルエリアネットワークによる通信が可能な電子機器本体に取り付けられ、ローカルエリアネットワークによる信号を受信するアンテナ部を含む無線ＬＡＮモジュールを備え、無線ＬＡＮモジュールは、電子機器本体の操作内容に対応して設けられた操作部と、ユーザによる操作部の操作内容に対応した信号を電子機器本体に伝達する信号伝達部とをさらに含む。
【００２３】
この発明の第２の局面による無線ＬＡＮ装置では、上記のように、ローカルエリアネットワークによる通信が可能な電子機器本体に取り付けられた無線ＬＡＮモジュールを備え、無線ＬＡＮモジュールが、電子機器本体の操作内容に対応して設けられた操作部と、ユーザによる操作部の操作内容に対応した信号を電子機器本体に伝達する信号伝達部とを含むことによって、ユーザは、無線ＬＡＮモジュールの操作部を介して電子機器本体に対する操作（たとえば、電源オン・オフ操作など）を行うことができる。また、この無線ＬＡＮモジュールを電子機器本体の前面部（フロントパネル部）に取り付ける場合であっても、既に前面部に集中的に配置された操作ボタン類や表示部などにより構成された既存のレイアウトに関係なく、ユーザは無線ＬＡＮモジュールの操作部を介して電子機器本体を操作することができる。これにより、無線ＬＡＮモジュールを電子機器本体に取り付けた場合に、電子機器本体に対するユーザの操作性が損われてしまうのを抑制することができる。
【図面の簡単な説明】
【００２４】
【図１】本発明の第１実施形態によるＤＶＤプレーヤの構成を示した概略的な斜視図である。
【図２】図１に示した第１実施形態によるＤＶＤプレーヤを構成する装置本体に無線ＬＡＮモジュールが接続される際のブロック図である。
【図３】図１に示した第１実施形態によるＤＶＤプレーヤがローカルエリアネットワークの環境下で使用される際の概念図である。
【図４】図１に示した第１実施形態による無線ＬＡＮモジュールがＤＶＤプレーヤに接続された場合の、無線ＬＡＮモジュール側の制御部の制御フローを示した図である。
【図５】本発明の第２実施形態によるＤＶＤプレーヤの構成を示した概略的な斜視図である。
【図６】図５において無線ＬＡＮモジュールを取り付けた場合の３００−３００線における断面図である。
【発明を実施するための形態】
【００２５】
以下、本発明を具体化した実施形態を図面に基づいて説明する。
【００２６】
（第１実施形態）
まず、図１〜図３を参照して、本発明の第１実施形態による無線ＬＡＮモジュール６０が取り付け可能なＤＶＤプレーヤ１００の構成について説明する。なお、第１実施形態では、本発明の無線ＬＡＮ装置の一例である無線ＬＡＮモジュール６０が、本発明の電子機器の一例であるＤＶＤプレーヤ１００に取り付けられる場合について説明する。
【００２７】
本発明の第１実施形態によるＤＶＤプレーヤ１００は、図１に示すように、金属製の筐体１０の内部に装置本体２０が収納されている。また、装置本体２０は、図１および図２に示すように、ＤＶＤ９０の再生動作を担うディスク駆動部２１と、装置本体２０に対する操作が可能な複数の操作ボタンからなる操作ボタン部２２と、装置本体２０の動作状態を表示する表示部２３と、装置本体２０の動作を制御する制御回路部２４と、装置本体２０に付属するリモコン機器（図示せず）からのリモコン信号（赤外線信号）を受光する赤外線受光部２５とを備えている。なお、装置本体２０、操作ボタン部２２および赤外線受光部２５は、それぞれ、本発明の「電子機器本体」、「第２操作部」および「受光部」の一例であり、ＤＶＤ９０は、本発明の「ディスク型記録媒体」の一例である。
【００２８】
また、図１に示すように、ディスク駆動部２１は、ＤＶＤ９０を載置するディスクローダ部２１ａが、装置本体２０の前面２０ａから外部（図面における手前側）に向かってスライドしながら出入りするように構成されている。また、装置本体２０の前面２０ａには、上述のディスクローダ部２１ａや操作ボタン部２２や表示部２３などが所定のレイアウトを有して配置されている。したがって、ユーザ４００は、装置本体２０の前面２０ａ側において、ＤＶＤプレーヤ１００に対する基本的な操作を行うことが可能であるように構成されている。
【００２９】
ここで、第１実施形態では、後述するアンテナ部５５が内蔵された無線ＬＡＮモジュール６０が、装置本体２０の前面２０ａ側においてＵＳＢ接続端子３０を介して着脱可能に取り付けられるように構成されている。また、無線ＬＡＮモジュール６０は、装置本体２０を囲う金属製の筐体１０の外側で前面２０ａに接しながら取り付けられるように構成されている。これにより、ＤＶＤプレーヤ１００は、図３に示すように、ローカルエリアネットワーク（ＬＡＮ）が構築された環境下での無線ＬＡＮ通信を利用してパソコン９１などから認識されるように構成されている。また、無線ＬＡＮモジュール６０（図３参照）は、前面２０ａのうちのディスクローダ部２１ａや表示部２３などが配置された領域以外の前面２０ａの部分であり、かつ、操作ボタン部２２（図１参照）を正面側（図面手前側）から覆い隠した状態で前面２０ａに取り付けられるように構成されている。
【００３０】
また、無線ＬＡＮモジュール６０は、図２に示すように、ＵＳＢ接続端子３０に接続されるとともに装置本体２０（制御回路部２４）からの電力供給路を担うＵＳＢインターフェイス部５１と、無線ＬＡＮ通信を実行するＣＰＵからなる制御部５２と、無線ＬＡＮ規格に適合する電波を発生するＲＦ（高周波）部５３と、ＲＦ部５３の出力を増幅するＡＭＰ部５４と、ＡＭＰ部５４で増幅されたＲＦ信号（高周波信号）を放射するアンテナ部５５とによって制御回路部５０が構成された状態で、筐体６０ａの内部に収納されるように構成されている。また、ＵＳＢインターフェイス部５１は、装置本体２０からの電力供給路のみならず、装置本体２０（制御回路部２４）との通信を行うために設けられている。なお、ＵＳＢインターフェイス部５１は、本発明の「有線による信号伝送路」の一例である。
【００３１】
ここで、第１実施形態では、図１に示すように、無線ＬＡＮモジュール６０の筐体６０ａの表面（前面）には、上記の構成に加えて、複数の操作ボタンからなる操作ボタン部５６が設けられている。また、操作ボタン部５６の各々の操作ボタンは、装置本体２０の操作ボタン部２２が有する複数の操作ボタンの各々に対応して設けられている。また、図２に示すように、操作ボタン部５６は、制御回路部５０内で制御部５２に接続されている。また、制御回路部５０には、赤外線を出射する赤外線ＬＥＤ５７と、赤外線ＬＥＤ５７を駆動するためのＬＥＤ駆動用ＡＭＰ部５８とが設けられており、操作ボタン部５６と同様に制御回路部５０内で制御部５２に接続されている。なお、この赤外線ＬＥＤ５７は、図１に示すように、無線ＬＡＮモジュール６０の表面から装置本体２０の外部（図１における手前側（ユーザ４００側））に向かって赤外線ビームを出射（発光）するように設けられている。なお、操作ボタン部５６は、本発明の「第１操作部」および「操作部」の一例であり、赤外線ＬＥＤ５７は、本発明の「光信号発生部」の一例である。
【００３２】
これにより、第１実施形態では、図３に示すように、無線ＬＡＮモジュール６０が装置本体２０に接続された状態でユーザ４００が操作ボタン部５６を操作した場合、無線ＬＡＮモジュール６０は、制御部５２（図２参照）が操作ボタン部５６の操作内容に対応したリモコン信号を発生した上で、ＬＥＤ駆動用ＡＭＰ部５８（図２参照）を経て赤外線ＬＥＤ５７から外部に向けて赤外線ビーム（リモコン信号）を出射することが可能であるように構成されている。また、この場合、赤外線ビームは、装置本体２０の前方（図３における手前側（ユーザ４００側））に向かって出射されるように構成されている。なお、リモコン信号は、本発明の「第１操作部の操作内容に対応した信号」の一例であり、赤外線ビームは、本発明の「赤外線からなる光信号」の一例である。また、制御回路部５０内における制御部５２とＬＥＤ駆動用ＡＭＰ部５８と赤外線ＬＥＤ５７とによって、本発明の「信号伝達部」が構成されている。
【００３３】
また、第１実施形態では、図３に示すように、赤外線ＬＥＤ５７から出射された赤外線ビームが、装置本体２０側の赤外線受光部２５に伝達されるように構成されている。すなわち、赤外線ＬＥＤ５７から出射された赤外線ビーム（図３に矢印で示す）は、装置本体２０の前面２０ａに向き合って操作ボタン部５６を操作するユーザ４００により反射された後、装置本体２０の赤外線受光部２５に入射されるように構成されている。これにより、ユーザ４００は、無線ＬＡＮモジュール６０の操作ボタン部５６を介して装置本体２０に対する操作（たとえば、電源ボタンの「オン」・「オフ」操作など）を行うことが可能であるように構成されている。
【００３４】
なお、無線ＬＡＮ通信による使用の必要性がない場合は、無線ＬＡＮモジュール６０を装置本体２０から取り外すことが可能とされている。この場合、ユーザ４００は、装置本体２０に付属するリモコン機器（図示せず）または装置本体２０の操作ボタン部２２（図１参照）を直接操作することにより、ＤＶＤプレーヤ１００を操作するように構成されている。
【００３５】
次に、図２〜図４を参照して、第１実施形態による無線ＬＡＮモジュール６０がＤＶＤプレーヤ１００に接続された場合の制御部５２の制御フローについて説明する。
【００３６】
まず、図４に示すように、ステップＳ１では、ＵＳＢインターフェイス部５１（図２参照）が装置本体２０（図２参照）のＵＳＢ接続端子３０（図２参照）に接続されて、装置本体２０の制御回路部２４（図２参照）との通信が正常に行われたか否かが制御部５２（図２参照）によって判断されるとともに、制御回路部２４との通信が正常に行われるまで制御部５２による判断が繰り返される。
【００３７】
また、この時点で、制御部５２（図２参照）は、ＲＦ部５３およびＡＭＰ部５４（図２参照）を制御することにより、ローカルエリアネットワークの環境下における無線ＬＡＮ通信を開始する。これにより、無線ＬＡＮモジュール６０に接続された装置本体２０が、パソコン９１（図３参照）から認識される。
【００３８】
また、ステップＳ１において制御回路部２４との通信が正常に行われたと判断された場合、ステップＳ２では、ユーザ４００（図３参照）によって操作ボタン部５６が押下されたか否かが制御部５２によって判断されるとともに、ユーザ４００によって操作ボタン部５６が押下されるまでこの判断が繰り返される。
【００３９】
ここで、第１実施形態では、ステップＳ２においてユーザ４００によって操作ボタン部５６が押下されたと判断された場合、ステップＳ３において、制御部５２は、ユーザ４００が押下したボタンの内容（たとえば「電源ボタン」の押下など）に対応したリモコン信号を生成する。さらに、ステップＳ４において、制御部５２は、制御部５２が生成したリモコン信号を、ＬＥＤ駆動用ＡＭＰ部５８（図２参照）に送信する。これにより、赤外線ＬＥＤ５７（図２参照）が、ユーザ４００が押下したボタンの内容に対応するリモコン信号（赤外線ビーム）を出射するように発光する。
【００４０】
この結果、図３に示すように、赤外線ＬＥＤ５７から出射された赤外線ビームが、装置本体２０の前で操作ボタン部５６を操作するユーザ４００によって反射された後、装置本体２０の赤外線受光部２５に入射される。これにより、ユーザ４００は、無線ＬＡＮモジュール６０の操作ボタン部５６を介して装置本体２０に対する操作（たとえば、「電源オン」操作）を行うことが可能となる。
【００４１】
その後、制御部５２の制御フローは上述のステップＳ２に戻される。そして、再度、ユーザ４００によって操作ボタン部５６が押下されるまでステップＳ２の判断が繰り返される。以降は、上述と同様の制御を繰り返す。
【００４２】
なお、ユーザ４００が無線ＬＡＮモジュール６０を装置本体２０から取り外した場合、制御回路部２４（図２参照）から制御部５２への電力供給が停止されるので、制御部５２による本制御は中止（終了）される。これにより、ＤＶＤプレーヤ１００の無線ＬＡＮ通信による使用が終了される。
【００４３】
第１実施形態では、上記のように、ローカルエリアネットワークによる通信が可能な装置本体２０と、装置本体２０に取り付けられた無線ＬＡＮモジュール６０とを備え、無線ＬＡＮモジュール６０が、装置本体２０の操作内容に対応して設けられた操作ボタン部５６と、ユーザ４００による操作ボタン部５６の操作内容に対応した信号を装置本体２０に伝達する信号伝達部（制御回路部５０内の制御部５２、ＬＥＤ駆動用ＡＭＰ部５８および赤外線ＬＥＤ５７）とを含むことによって、ユーザ４００は、無線ＬＡＮモジュール６０の操作ボタン部５６を介して装置本体２０に対する操作（たとえば、電源ボタンの「オン」・「オフ」操作など）を行うことができる。また、この無線ＬＡＮモジュール６０を装置本体２０の前面２０ａ側に取り付ける場合であっても、既に前面２０ａに集中的に配置された操作ボタン部２２や表示部２３などにより構成された既存のレイアウトに関係なく、ユーザ４００は無線ＬＡＮモジュール６０の操作ボタン部５６を介して装置本体２０を操作することができる。これにより、無線ＬＡＮモジュール６０を装置本体２０に取り付けた場合に、装置本体２０に対するユーザ４００の操作性が損われてしまうのを抑制することができる。
【００４４】
また、第１実施形態では、信号伝達部を、制御部５２、ＬＥＤ駆動用ＡＭＰ部５８および赤外線ＬＥＤ５７により構成することによって、ユーザ４００による操作ボタン部５６の操作内容に対応した赤外線ビーム（リモコン信号）を、装置本体２０側に容易に伝達することができる。
【００４５】
また、第１実施形態では、無線ＬＡＮモジュール６０を、金属からなる筐体１０の外側に配置された状態で装置本体２０に取り付けられるように構成することによって、無線ＬＡＮモジュール６０のアンテナ部５５が、ローカルエリアネットワークからの無線信号が含まれた電波を確実に受信することができる。
【００４６】
また、第１実施形態では、無線ＬＡＮモジュール６０が、装置本体２０の前面２０ａ側に配置されることにより、操作ボタン部２２を覆い隠した状態で装置本体２０に取り付けられるように構成することによって、無線ＬＡＮモジュール６０が装置本体２０に取り付けられた場合、装置本体２０の操作ボタン部２２が無線ＬＡＮモジュール６０によって覆い隠されている一方、ユーザ４００は、無線ＬＡＮモジュール６０の操作ボタン部５６のみによって確実に装置本体２０を操作することができる。
【００４７】
また、第１実施形態では、無線ＬＡＮモジュール６０を、ＤＶＤプレーヤ１００の前面２０ａのうちの、ディスク駆動部２１（ディスクローダ部２１ａ）および表示部２３が設けられた領域以外の領域に配置されるように構成することによって、ＤＶＤ９０を取り扱うスペースや装置本体２０の動作状況を確認するスペースなどを確保しながら無線ＬＡＮモジュール６０をＤＶＤプレーヤ１００に取り付けることができるので、ＤＶＤ９０を取り扱うスペースや装置本体２０の動作状況を確認するスペースなどが確保される分、ＤＶＤプレーヤ１００に対するユーザ４００の操作性が損われてしまうのを、より抑制することができる。
【００４８】
また、第１実施形態では、無線ＬＡＮモジュール６０における制御部５２を、ユーザ４００による操作ボタン部５６の操作内容に対応したリモコン信号を発生する制御を行うように構成することによって、このリモコン信号を、ＬＥＤ駆動用ＡＭＰ部５８を経て赤外線ＬＥＤ５７から外部に向けて赤外線ビームとして出射させることができる。これにより、無線ＬＡＮモジュール６０と装置本体２０との間の比較的短い距離における信号伝達を、赤外線ビームを用いて容易に行うことができる。
【００４９】
また、第１実施形態では、無線ＬＡＮモジュール６０の赤外線ＬＥＤ５７を、装置本体２０の前方に向かって赤外線ビームを出射するように構成することによって、赤外線ＬＥＤ５７から出射された赤外線ビームは、無線ＬＡＮモジュール６０の操作ボタン部５６を操作するユーザ４００により反射されるので、反射した赤外線ビームを、装置本体２０の赤外線受光部２５に向けて容易に入射させることができる。
【００５０】
（第２実施形態）
次に、図５および図６を参照して、第２実施形態について説明する。この第２実施形態では、上記第１実施形態と異なり、無線ＬＡＮモジュール２６０に設けられた赤外線ＬＥＤ２５７が、装置本体２２０の内部に向かって赤外線ビームを出射するように構成した場合について説明する。なお、装置本体２２０は、本発明の「電子機器本体」の一例である。
【００５１】
本発明の第２実施形態では、図５に示すように、無線ＬＡＮモジュール２６０が、ＤＶＤプレーヤ２００の装置本体２２０の前面２２０ａ側においてＵＳＢ接続端子３０を介して着脱可能に取り付けられるように構成されている。
【００５２】
ここで、第２実施形態では、図６に示すように、無線ＬＡＮモジュール２６０が装置本体２２０に取り付けられた状態において、赤外線ＬＥＤ２５７から出射された赤外線ビームが、装置本体２２０の内部に向かって出射されるように構成されている。
【００５３】
すなわち、第２実施形態では、装置本体２２０の内部に、赤外線ＬＥＤ２５７と赤外線受光部２２５とを結ぶように設けられた透明樹脂（たとえばアクリル樹脂など）からなる導光部材２０１が設けられている。これにより、第２実施形態では、ユーザ４００（図５参照）が操作ボタン部５６を操作した場合、操作ボタン部５６の操作内容に対応したリモコン信号（赤外線ビーム）が、導光部材２０１に導かれて装置本体２２０の内部に設けられた赤外線受光部２２５に伝達されるように構成されている。なお、装置本体２２０および赤外線ＬＥＤ２５７は、それぞれ、本発明の「電子機器本体」および「光信号発生部」の一例であり、赤外線受光部２２５は、本発明の「受光部」の一例である。
【００５４】
また、図６に示すように、赤外線受光部２２５に対応する装置本体２２０の筐体１０（前面２２０ａ）には、赤外線受光窓１０ａが設けられている。これにより、無線ＬＡＮモジュール２６０が装置本体２２０から外された場合においても、装置本体２２０に付属するリモコン機器（図示せず）からのリモコン信号（赤外線ビーム）が赤外線受光窓１０ａを介して赤外線受光部２２５に入射可能であるように構成されている。また、この際、赤外線受光窓１０ａと赤外線受光部２２５とを結ぶ線上に、導光部材２０１の端部２０１ａ（図６参照）がなるべく重ならないように導光部材２０１を構成するのが好ましい。すなわち、導光部材２０１の端部２０１ａを、曲面からなる光学的なレンズ形状を有するように形成すればよい。これにより、導光部材２０１を経由したリモコン信号および赤外線受光窓１０ａから直接入射するリモコン信号の両方を、赤外線受光部２２５に対して効率よく入射させることが可能となる。
【００５５】
なお、第２実施形態におけるＤＶＤプレーヤ２００のその他の構成は、上記第１実施形態と同様である。また、無線ＬＡＮモジュール２６０が装置本体２２０に接続された場合の制御部５２の制御フローについても、上記第１実施形態と同様である。
【００５６】
第２実施形態では、上記のように、無線ＬＡＮモジュール２６０の赤外線ＬＥＤ２５７を、装置本体２２０の内部に向かって赤外線ビームを出射するように構成することによって、赤外線ＬＥＤ２５７から出射された赤外線信号が、導光部材２０１を経由して装置本体２２０の内部に設けられた赤外線受光部２２５に向けて確実に入射させることができる。この結果、無線ＬＡＮモジュール２６０の操作ボタン部５６による装置本体２２０の操作を、より確実に行うことができる。
【００５７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５８】
たとえば、上記第１および第２実施形態では、無線ＬＡＮモジュールから電子機器本体に向けて赤外線によるリモコン信号を伝達するように構成した例について示したが、本発明はこれに限らず、無線ＬＡＮモジュールと電子機器本体とが電気的に接続されるＵＳＢ接続端子３０（ＵＳＢインターフェイス部５１）を介して、無線ＬＡＮモジュールから電子機器本体を操作するためのリモコン信号を伝達するように構成してもよい。
【００５９】
また、上記第１および第２実施形態では、ＤＶＤ９０の再生が可能なＤＶＤプレーヤ１００（２００）に本発明を適用した例について示したが、本発明はこれに限らず、ＤＶＤへ映像データや音声データなどを記録することが可能な録画機能付きの電子機器に本発明を適用してもよい。
【００６０】
また、上記第１および第２実施形態では、ＤＶＤに対応したＤＶＤプレーヤ１００（２００）に本発明を適用した例について示したが、本発明はこれに限らず、たとえばＣＤの再生に対応したディスク再生装置に本発明を適用してもよい。
【００６１】
また、上記第１および第２実施形態では、電子機器の一例としてＤＶＤ９０を再生するＤＶＤプレーヤ１００（２００）に本発明を適用した例について示したが、本発明はこれに限らず、ローカルエリアネットワークによる通信が可能な電子機器本体を備えた電子機器であれば、ＤＶＤプレーヤ以外のＨＤＤレコーダ装置や、ブルーレイディスク再生装置や、ＨＤＤＶＤ（大容量光ディスク）再生装置などの電子機器に本発明を適用してもよい。
【００６２】
また、上記第１および第２実施形態では、無線ＬＡＮモジュール６０における制御部５２が、ユーザ４００による操作ボタン部５６の操作内容に対応したリモコン信号を発生する制御を行うように構成した例について示したが、本発明はこれに限らず、制御部５２が赤外線ＬＥＤ５７を制御することにより、ユーザ４００による操作ボタン部５６の操作内容に対応したリモコン信号（赤外線ビーム）を赤外線ＬＥＤ５７に発生させるようにように構成してもよい。
【００６３】
また、上記第２実施形態では、アクリル樹脂などの透明樹脂からなる導光部材２０１を用いて赤外線ビームを装置本体２２０の内部に伝達させる例について示したが、本発明はこれに限らず、ガラス材料によって形成された導光部材を用いて、赤外線ビームを装置本体２２０の内部に伝達させるようにしてもよい。
【符号の説明】
【００６４】
１０  筐体
２０、２２０  装置本体（電子機器本体）
２０ａ  前面
２１ａ  ディスクローダ部
２２  操作ボタン部（第２操作部）
２５、２２５  赤外線受光部（受光部）
５１  ＵＳＢインターフェイス部（有線による信号伝送路）
５２  制御部
５５  アンテナ部
５６  操作ボタン部（第１操作部、操作部）
５７、２５７  赤外線ＬＥＤ（光信号発生部）
６０、２６０  無線ＬＡＮモジュール
９０  ＤＶＤ（ディスク型記録媒体）
２０１  導光部材
４００  ユーザ
【図１】
2010273228.tif 000003
【図２】
2010273228.tif 000004
【図３】
2010273228.tif 000005
【図４】
2010273228.tif 000006
【図５】
2010273228.tif 000007
【図６】
2010273228.tif 000008